(57)【要約】【課題】中間部材と面格子とをワンショットで取付け可能にし、その取付け状態が良好で耐久性のある面格子の取付け構造を提供する。【解決手段】建物の開口部に取付けられた窓枠１０の耳部１３に、中間部材２１と共に面格子３０を、ブラケット４０を介して取付ける構造において、窓枠１０の耳部１３に嵌め合わせた中間部材２１の縁と窓枠１０の耳部１３との間にできる隙間に、ブラケット４０の本体部分４５から伸びる掛止め爪支持アーム４７の端に一体に形成した掛止め爪４２を嵌入し、ブラケット４０の本体部分４５から伸びる背面当り板４３および側面当り板４４でもって窓枠１０の耳部１３に中間部材２１と共にブラケット４０を固定し、固定されたブラケット４０に面格子３０を取付けてなり、ブラケットの素材にアルミニウムより高い強度と硬度のあるもの、および電蝕を起こさないものを採用してなる。【選択図】図１
2008025326.tif 000002
【特許請求の範囲】
【請求項１】
建物の開口部に取付けられた窓枠（１０）の耳部（１３）に、中間部材（２１）と共に面格子（３０）を、ブラケット（４０）を介して取付ける構造において、窓枠（１０）の耳部（１３）に嵌め合わせた中間部材（２１）の縁と窓枠（１０）の耳部（１３）との間にできる隙間に、ブラケット（４０）の本体部分４５から伸びる掛止め爪支持アーム（４７）の端に一体に形成した掛けとめ爪（４２）を嵌入し、ブラケット（４０）の本体部分４５から伸びる背面当り板（４３）および側面当り板（４４）でもって窓枠（１０）の耳部（１３）に中間部材（２１）と共にブラケット（４０）を固定し、この固定されたブラケット（４０）に面格子（３０）を取付けてなることを特徴とする面格子取付け構造。
【請求項２】
上記中間部材（２１）の引っ掛け部分（２２）の縁と窓枠（１０）の耳部（１３）との嵌め合せ部に、嵌合溝部（２３）を形成したことを特徴とする請求項１に記載の面格子取付け構造。
【請求項３】
上記ブラケット（４０）の素材は、アルミニウムより高い強度と硬度をもち、かつ、アルミニウムとの接合部で電蝕を起こさないものを採用したことを特徴とする面格子取付け構造。
【請求項４】
窓枠（１０）の耳部（１３）に嵌め合せた中間部材（２１）の縁と窓枠（１０）の耳部（１３）との間にできる隙間に、ブラケット（４０）全体を回して掛止め爪（４２）を斜めにして装入し、その状態からブラケット（４０）を逆に回して掛止め爪（４２）を上記隙間に対して直角に位置させ、上記掛止め爪（４２）を上記隙間で突っ張らせ、かつ、中間部材に背面当り板（４３）および側面当り板（４４）を当接させることを特徴とする面格子の取付け方法。
【発明の詳細な説明】
【技術分野】
【０００１】  この発明は窓枠に、中間部材を共に面格子を取付けるブラケット構造に関する。
【背景技術】
【０００２】  建物の開口部に嵌められた窓枠に、面格子を取付けるには、ビスねじが採用されてきたが、窓枠および面格子にアルミニウム成形体が採用されることによりビスねじによる取付けでは、その部分の耐久性が心配になりその対策が求められていた。【０００３】  こうした状況の下、本出願人は特許文献１および特許文献２の提案を行った。【０００４】
【特許文献１】特許第３０９５７８３号（特許請求の範囲および図面）
【特許文献２】特願２００１−１３５７９４号（特許請求の範囲および図面）
【発明の開示】
【発明が解決しようとする課題】
【０００５】  上記提案を概略説明すると、図５に示すように窓枠の両側部２から延びる耳部３に面格子３０を支えるブラケット５のはぜ折り部Ｕに貫通孔を穿設し、このはぜ折り部Ｕを耳部３に被嵌し、ポンチＰとポンチ孔Ｈを設けた圧着工具Ｔの上顎Ｔ２と下顎Ｔ１を宛がいポンチＰをポンチ孔Ｈに向けて打ち込みブラケット５と窓枠の耳部３とを「カシメ」るものである。【０００６】  上記提案によって、ブラケットの取付け作業が簡単になり、かつ、取付け部分の耐久性が飛躍的に向上することとなったが、需要家から、窓枠と面格子との間に防虫網の枠などを設けたいとの要求が出され、しかも、この防虫網の枠と面格子との取付けを、工数を増やさず行いたいとの課題が提起された。
【課題を解決するための手段】
【０００７】  上記課題を解決するためにこの発明は、建物の開口部に取付けられた窓枠１０の耳部１３に、中間部材２１と共に面格子３０を、ブラケット４０を介して取付ける構造において、窓枠１０の耳部１３に嵌め合せた中間部材２１の縁と窓枠１０の耳部１３との間にできる隙間に、ブラケット４０の本体部分４５から伸びる掛止め爪支持アーム４７の端に一体に形成した掛止め爪４２を嵌入し、ブラケット４０の本体部分４５から伸びる背面当り板４３および側面当り板４４でもって窓枠１０の耳部１３に中間部材２１と共にブラケット４０を固定し、固定されたブラケット４０に面格子３０を取付けてなり、ブラケットの素材にアルミニウムより高い強度と硬度のあるもの、および電蝕を起こさないものを採用してなる。【０００８】  また、上記構成とするために、窓枠１０の耳部１３に嵌め合せた中間部材２１の縁と窓枠１０の耳部１３との間にできる隙間に、ブラケット４０全体を回して掛止め爪４２と掛止め爪の支持片４１を斜めにして装入し、その状態からブラケット４０を逆に回して掛止め爪４２を上記隙間に対して直角に位置させ、上記掛止め爪４２を上記隙間で突っ張らせ、かつ、中間部材に背面当り板４３および側面当り板４４を当接させる方法を採用したものである。
【発明の効果】
【０００９】  上記のごとく構成するこの発明によれば、窓枠の耳部にブラケットを取付けるときに防虫網の枠を取付けるための中間部材を、工数を増やすことなく取付けられ、しかも取付け状態は堅固で耐久性も良好である。【００１０】  また、ブラケットの素材に特定のものを採用することにより取付けが堅固で確実になり、電蝕の心配もなく耐久性も良好となる。
【発明を実施するための最良の形態】  次にこの発明の実施の形態を、図面を参照しながら説明する。図１〜図３において、建物の開口部の鉄筋Ａ１に固定片Ａ３が溶接Ａ２されてアンカーＡが固定され、このアンカーＡの取付け部Ａ４に窓枠１０が取付けられ開口部と窓枠１０との隙間にはシーリングＳが施されている。【００１１】  窓枠１０の耳部１３には、防虫網サッシ２０を支持する中間部材２１が嵌め合され、耳部１３と中間部材２１間の隙間にはブラケット４０の掛け爪アーム４７の端に形成した掛止め爪の支持部４１と共に掛止め爪４２を嵌入し、掛け爪アーム４７と一体のブラケット４０の本体部分４５の端には面格子３０の横桟３１を取付ける面格子取付け部４６が形成されている。【００１２】  上記中間部材２１は、その断面が角張った算用数字の「９」を形成しており（この形に拘ることはない）引っ掛け部分２２の端は凸条になり、これが対向する部分の窓枠１０の耳部１３は凹溝になって嵌合溝部２３を形成し、中空部２４には防虫網サッシ２０がビスねじ２５により取付けられている。なお、２７は防虫網で、２６は防虫網を取付けるブッシングである。【００１３】  次に窓枠１０の耳部１３に中間部材２１を介してブラケット４０を取付ける手順について図１と図４を参照しながら詳しく説明する。窓枠１０の耳部１３には中間部材２１の引っ掛け部分２２が嵌め合わされ、引っ掛け部分２２の端縁は嵌合溝部２３を構成して嵌合状態が狂わないようにし、嵌め合わせ部の隙間にはブラケット４０の掛け爪支持片４１と掛け爪４２を嵌入して突っ張り合うようになって窓枠１０と中間部材２１とブラケット４０が互いに固定される。【００１４】  窓枠１０の耳部１３と中間部材２１の引っ掛け部分２２間の隙間に掛止め爪の支持部４１と共に掛け爪４２を嵌入して突っ張らせるには、まず、窓枠１０の耳部１３にブラケット４０を取付ける位置に罫書きを行い、図４に示すようにブラケット４０を約４５度上方向に回して耳部１３と中間部材２１との隙間に掛け爪４２を、その先端が上記罫書きに向き合うように差込み、押し当てて掛け爪４２の先端と耳部１３との接点を支点にしてブラケット４０を矢印の方向に回す。【００１５】  このようにすることにより、掛け爪４２はブラケット４０の梃子の作用により窓枠１０の耳部１３と中間部材２１との隙間に突っ張り状態で強力に嵌入され、ブラケット４０が窓枠１０の耳部１３に対して直角に位置したときには中間部材２１に背面当り板４３と側面当り板４４が当接して取付け状態が安定する。【００１６】  ここで、上記ブラケット４０の素材は、この実施例では防虫網サッシと面格子とを支持するものであるから、相当の強度と硬度を有するものを採用する必要があり、また、ブラケット４０とアルミニウム間で電蝕を起こすようなものであってはならない。その観点からステンレス（ＳＵＳ−３０８）を採用している。【００１７】  また、図１（ａ）では、窓枠１０の耳部１３の表面に掛け爪４２の先端が食い込んだようになっているが、この部分の矢視Ａ−Ａの拡大断面が同図（ｂ）である。即ち、窓枠１０の耳部１３に予めノッチ１３ｎを設けておき、このノッチ１３ｎに掛け爪４２の先端４２ｔを当接し、ブラケット４０と共��掛け爪４２を矢印の方向に回すと位置決めと取付けが確実・堅固になる。【００１８】  なおここで、上記窓枠１０の耳部１３と中間部材２１との隙間に嵌まる掛け爪４２の締り代は＋０．２ｍｍとしたがこの締り代は各部の寸法・材料によって実験的に決定される。また、掛け爪アーム４７から掛け爪４２間の強度は、上記ブラケット取付け作業を進める間に座屈しないように寸法構成と強度にする必要がある。
【産業上の利用可能性】
【００１９】  以上説明した通りこの発明によれば、窓枠に中間部材を介在させて面格子を簡単に取付けることが可能になり、取付け部の耐久性も良好である。
【図面の簡単な説明】
【００２０】
【図１】本発明に係る面格子取付け構造の要部断面図
【図２】同防虫網サッシ、面格子を取付けた状態の水平断面図
【図３】同ブラケット部分の斜視図
【図４】同ブラケットの取付け手順説明図
【図５】先行技術に係る窓枠へのブラケット取付け説明図
【符号の説明】
【００２１】１０  窓枠
１１  レール
１２，２  窓枠の両側部
１３，３  耳部
１３ｎ  ノッチ
１４  パッキング
２０  防虫網サッシ
２１  中間部材
２２  引っ掛け部
２３  嵌合溝部
２４  中空部
２５  ビスねじ
３０  面格子
３１  横桟
３２  縦桟
４０，５  ブラケット
４１  掛止め爪の支持部
４２  掛止め爪
４２ｔ  掛け爪の先端
４３  背面当り板
４４  側面当り板
４５  本体部分
４６，６  面格子取付け部
４７  掛止め爪支持アーム
Ｂ  建物の開口部
Ｐ  ポンチ
Ｈ  ポンチ孔
Ｔ  圧着工具
Ｔ１  下顎
Ｔ２  上顎
Ｕ  はぜ折り部
Ｕ１  下側
Ｕ２    上側
Ａ  アンカー
Ａ１  鉄筋
Ａ２  溶接
Ａ３  固定片
Ａ４  取付け部
【図１】
2008025326.tif 000003
【図２】
2008025326.tif 000004
【図３】
2008025326.tif 000005
【図４】
2008025326.tif 000006
【図５】
2008025326.tif 000007